(57)【要約】【課題】  装置を直接操作することなくテンポ通知動作を制御することが可能なテンポ通知装置を提供する。【解決手段】  楽音等の信号を入力するための演奏入力手段３と、演奏入力手段３からの信号の入力時間を計測し、所定の入力レベルの信号が所定入力時間、入力されたら信号を演奏の開始／停止として判定するための演奏入力判定手段７と、演奏入力判定手段７で演奏または準備演奏の開始／停止が判定されたら、テンポ通知装置の動作開始／停止を制御するためのテンポ通知制御手段８とを有する。【選択図】図１
2007132881.tif 000002
【特許請求の範囲】
【請求項１】
使用者にテンポを通知するテンポ通知装置において、
演奏等による楽音等の信号を入力するための入力手段と、
前記入力手段から入力された信号の入力レベルと入力時間に基づいて、演奏の開始もしくは停止を判定する演奏判定手段と、
前記演奏判定手段が判定した結果に基づいて、テンポ通知動作を制御する制御情報を作成する通知動作制御手段と、
前記通知動作制御手段が作成した制御情報に基づいて、テンポ通知動作を実行するテンポ通知手段とを有し、
前記通知動作制御手段は、前記演奏判定手段から演奏の開始に係る判断結果を取得した場合、テンポの通知と通知停止を交互に繰り返し実行するための制御情報を作成する、テンポ通知装置。
【請求項２】
演奏の開始を判断するための基準入力レベルおよび基準入力時間を格納する判定基準格納手段をさらに有し、
前記演奏判定手段は、前記入力手段から入力された信号が、前記基準入力レベル以上で前記基準入力時間、継続している場合、演奏が開始されたと判定する、請求項１に記載のテンポ通知装置。
【請求項３】
前記基準入力レベルもしくは前記基準入力時間を設定する基準設定手段をさらに有し、
前記判定基準格納手段は、前記基準設定手段によって設定された基準入力レベルもしくは基準入力時間を格納する、請求項２に記載のテンポ通知装置。
【請求項４】
最初にテンポ通知を行う時間である初期通知時間、練習補助動作としてのテンポ通知を行う時間であるテンポ通知時間、および練習補助動作としてのテンポ通知停止を行う時間であるテンポ停止時間を格納する通知時間格納手段をさらに有し、
前記通知動作制御手段は、前記演奏判定手段から演奏の開始に係る判断結果を取得した場合、前記初期通知時間分のテンポ通知を実行した後に、前記テンポ通知時間分のテンポ通知と前記テンポ停止時間分のテンポ通知停止を繰り返し実行するための制御情報を作成する、請求項１に記載のテンポ通知装置。
【請求項５】
前記初期通知時間、前記テンポ通知時間もしくは前記テンポ停止時間を設定する通知時間設定手段をさらに有し、
前記通知時間格納手段は、前記通知時間設定手段によって設定された初期通知時間、テンポ通知時間もしくはテンポ停止時間を格納する、請求項４に記載のテンポ通知装置。
【請求項６】
使用者にテンポを通知するテンポ通知装置において、
演奏等による楽音等の信号を入力するための入力手段と、
前記入力手段から入力された信号の入力レベルと入力時間とに基づいて、準備演奏の開始もしくは停止、または演奏の開始もしくは停止を判定する演奏判定手段と、
前記演奏判定手段が判定した結果に基づいて、テンポ通知動作を制御する制御情報を作成する通知動作制御手段と、
前記通知動作制御手段が作成した制御情報に基づいて、テンポ通知動作を実行するテンポ通知手段とを有し、
前記通知動作制御手段は、前記演奏判定手段から準備演奏の開始に係る判断結果を取得した場合、テンポ通知を実行するための制御情報を作成し、前記演奏判定手段から演奏の開始に係る判断結果を取得した場合、テンポの通知と通知停止を交互に繰り返し実行するための制御情報を作成する、テンポ通知装置。
【請求項７】
準備演奏の開始を判断するための第１の基準入力レベルおよび第１の基準入力時間、ならびに演奏の開始を判断するための第２の基準入力レベルおよび第２の基準入力時間を格納する判定基準格納手段をさらに有し、
前記演奏判定手段は、前記入力手段から入力された信号が前記第１の基準入力レベル以上で前記第１の基準入力時間、継続している場合、準備演奏が開始されたと判定し、前記第２の基準入力レベル以上で前記第２の基準入力時間、継続している場合、演奏が開始されたと判定する、請求項６に記載のテンポ通知装置。
【請求項８】
前記第１の基準入力レベルもしくは前記第１の基準入力時間、または前記第２の基準入力レベルもしくは前記第２の基準入力時間を設定する基準設定定手段をさらに有し、
前記判定基準格納手段は、前記基準設定手段によって設定された第１の基準入力レベルもしくは第１の基準入力時間、または第２の基準入力レベルもしくは第２の基準入力時間を格納する、請求項７に記載のテンポ通知装置。
【請求項９】
練習補助動作としてのテンポ通知を行う時間であるテンポ通知時間と、練習補助動作としてのテンポ通知停止を行う時間であるテンポ停止時間とを含む情報を格納する通知時間格納手段をさらに有し、
前記通知動作制御手段は、前記演奏判定手段から演奏の開始に係る判断結果を取得した場合、前記テンポ通知時間分のテンポ通知と前記テンポ停止時間分のテンポ通知停止を繰り返し実行するための制御情報を作成する、請求項６に記載のテンポ通知装置。
【請求項１０】
前記テンポ通知時間もしくは前記テンポ停止時間を設定する通知時間設定手段をさらに有し、
前記通知時間格納手段は、前記通知時間設定手段によって設定されたテンポ通知時間もしくはテンポ停止時間を格納する、請求項９に記載のテンポ通知装置。
【請求項１１】
前記通知動作制御手段は、テンポの通知強度を変動させた制御情報を作成する、請求項１から１０のいずれかに記載のテンポ通知装置。
【請求項１２】
前記通知動作制御手段は、前記テンポ通知時間に通知するテンポの強度を、所定強度になるように時間と共に増加させ、その後、最低強度となるように時間と共に減少させた制御情報を作成する、請求項１１に記載のテンポ通知装置。
【請求項１３】
前記テンポ通知手段は複数あり、
テンポ通知手段ごとに、継続的なテンポの通知動作、もしくはテンポの通知と通知停止の繰り返し動作、のいずれかを設定する通知動作設定手段をさらに有し、
前記通知動作制御手段は、前記通知動作設定手段で設定したテンポ通知動作に基づいて、テンポ通知手段ごとに制御情報を作成する、請求項１から１２のいずれかに記載のテンポ通知装置。
【請求項１４】
前記テンポ通知手段は、音声発生手段、振動発生手段、発光手段、表示手段のいずれかを含む、請求項１３に記載のテンポ通知装置。
【請求項１５】
使用者にテンポを通知するテンポ通知装置において、
外部からの音声信号を入力するための入力手段と、
前記入力手段から所定入力レベル以上の音声信号が所定入力時間以上、継続して入力された場合、演奏の開始もしくは停止を判定する演奏判定手段と、
前記演奏判定手段が判定した結果に基づいて、テンポ通知動作を制御する制御情報を作成する通知動作制御手段と、
前記通知動作制御手段が作成した制御情報に基づいて、テンポ通知動作を実行するテンポ通知手段とを有する、テンポ通知装置。
【発明の詳細な説明】
【技術分野】
【０００１】
本発明は、楽器の演奏などの練習を補助するための、テンポ通知機能を持ったテンポ通知装置に関するものである。
【背景技術】
【０００２】
従来のテンポ通知装置では、設定したテンポで点滅や発音を繰り返し、使用者により操作されるまで動作しつづけるものであった（例えば、特許文献１参照）。
【特許文献１】特開２０００−８８９７７号公報
【発明の開示】
【発明が解決しようとする課題】
【０００３】
上記のような通知方法では、テンポ通知動作のＯＮ／ＯＦＦは、手動での操作またはタイマによってあらかじめ動作時間を設定するなどでしか制御できず、楽器の演奏中などの任意のタイミングで通知動作を開始／停止させるためには、その都度演奏を中断してテンポ通知装置を使用者自ら操作しなければならなかった。
【０００４】
また、演奏中にテンポ通知と通知停止を交互に繰り返すことで、テンポを演奏者に感覚的に覚えさせるテンポ練習法があるのだが、従来のテンポ通知装置では、テンポ通知動作のＯＮ／ＯＦＦが手動でしか行えなかったため、このテンポ練習法を実行することができなかった。
【０００５】
そこで本発明の課題は、手動で操作を行わなくてもテンポ通知動作の開始／停止を制御することができ、且つ、テンポ練習に適したテンポ通知装置を提供することである。
【課題を解決するための手段】
【０００６】
上記の目的を達成するために、本発明のテンポ通知装置は、演奏等による楽音等の信号を入力するための入力手段と、前記入力手段から入力された信号の入力レベルと入力時間に基づいて、演奏の開始もしくは停止を判定する演奏判定手段と、前記演奏判定手段が判定した結果に基づいて、テンポ通知動作を制御する制御情報を作成する通知動作制御手段と、前記通知動作制御手段が作成した制御情報に基づいて、テンポ通知動作を実行するテンポ通知手段とを有し、前記通知動作制御手段は、前記演奏判定手段から演奏の開始に係る判断結果を取得した場合、テンポの通知と通知停止を交互に繰り返し実行するための制御情報を作成する、テンポ通知装置とする。
【０００７】
これにより使用者は、テンポ通知装置を操作することなくテンポ通知動作の開始／停止を制御して、テンポ練習を行うことができる。
【０００８】
また本発明のテンポ通知装置は、演奏の開始を判断するための基準入力レベルおよび基準入力時間を格納する判定基準格納手段をさらに有し、前記演奏判定手段は、前記入力手段から入力された信号が、前記基準入力レベル以上で前記基準入力時間、継続している場合、演奏が開始されたと判定するものとする。
【０００９】
これにより、楽器演奏の楽音を入力するのみで、テンポ通知を行うことができる。
【００１０】
また本発明のテンポ通知装置は、前記基準入力レベルもしくは前記基準入力時間を設定する基準設定手段をさらに有し、前記判定基準格納手段は、前記基準設定手段によって設定された基準入力レベルもしくは基準入力時間を格納するものとする。
【００１１】
これにより、使用者が必要に応じて楽音の入力レベルや入力時間を任意に設定することができ、使用する楽器に適したテンポ通知装置にすることができる。
【００１２】
また本発明のテンポ通知装置は、最初にテンポ通知を行う時間である初期通知時間、練習補助動作としてのテンポ通知を行う時間であるテンポ通知時間、および練習補助動作としてのテンポ通知停止を行う時間であるテンポ停止時間を格納する通知時間格納手段をさらに有し、前記通知動作制御手段は、前記演奏判定手段から演奏の開始に係る判断結果を取得した場合、前記初期通知時間分のテンポ通知を実行した後に、前記テンポ通知時間分のテンポ通知と前記テンポ停止時間分のテンポ通知停止を繰り返し実行するための制御情報を作成するものとする。
【００１３】
これにより、初期通知時間分のテンポ通知の後、テンポ練習補助動作を使用したテンポ練習を行うことができる。
【００１４】
また本発明のテンポ通知装置は、前記初期通知時間、前記テンポ通知時間もしくは前記テンポ停止時間を設定する通知時間設定手段をさらに有し、前記通知時間格納手段は、前記通知時間設定手段によって設定された初期通知時間、テンポ通知時間もしくはテンポ停止時間を格納するものとする。
【００１５】
これにより、使用者が自身の上達具合に合わせて、初期通知時間やテンポ練習内容を任意に設定することができる。
【００１６】
また、本発明の通知装置は、演奏等による楽音等の信号を入力するための入力手段と、前記入力手段から入力された信号の入力レベルと入力時間とに基づいて、準備演奏の開始もしくは停止、または演奏の開始もしくは停止を判定する演奏判定手段と、前記演奏判定手段が判定した結果に基づいて、テンポ通知動作を制御する制御情報を作成する通知動作制御手段と、前記通知動作制御手段が作成した制御情報に基づいて、テンポ通知動作を実行するテンポ通知手段とを有し、前記通知動作制御手段は、前記演奏判定手段から準備演奏の開始に係る判断結果を取得した場合、テンポ通知を実行するための制御情報を作成し、前記演奏判定手段から演奏の開始に係る判断結果を取得した場合、テンポの通知と通知停止を交互に繰り返し実行するための制御情報を作成する、テンポ通知装置とする。
【００１７】
これにより、使用者はテンポ通知装置を操作することなくテンポ通知動作の開始／停止を制御することができ、且つ、演奏の実体に合わせたテンポ練習を行うことができる。
【００１８】
また本発明のテンポ通知装置は、準備演奏の開始を判断するための第１の基準入力レベルおよび第１の基準入力時間、ならびに演奏の開始を判断するための第２の基準入力レベルおよび第２の基準入力時間を格納する判定基準格納手段をさらに有し、前記演奏判定手段は、前記入力手段から入力された信号が前記第１の基準入力レベル以上で前記第１の基準入力時間、継続している場合、準備演奏が開始されたと判定し、前記第２の基準入力レベル以上で前記第２の基準入力時間、継続している場合、演奏が開始されたと判定するものとする。
【００１９】
これにより、楽器演奏の楽音を入力するのみで、テンポ通知およびテンポ練習を行うことができる。
【００２０】
また本発明のテンポ通知装置は、前記第１の基準入力レベルもしくは前記第１の基準入力時間、または前記第２の基準入力レベルもしくは前記第２の基準入力時間を設定する基準設定定手段をさらに有し、前記判定基準格納手段は、前記基準設定手段によって設定された第１の基準入力レベルもしくは第１の基準入力時間、または第２の基準入力レベルもしくは第２の基準入力時間を格納するものとする。
【００２１】
これにより、使用者が必要に応じて楽音の入力レベルや入力時間を任意に設定することができ、使用する楽器に適したテンポ通知装置にすることができる。
【００２２】
また本発明のテンポ通知装置は、練習補助動作としてのテンポ通知を行う時間であるテンポ通知時間と、練習補助動作としてのテンポ通知停止を行う時間であるテンポ停止時間とを含む情報を格納する通知時間格納手段をさらに有し、前記通知動作制御手段は、前記演奏判定手段から演奏の開始に係る判断結果を取得した場合、前記テンポ通知時間分のテンポ通知と前記テンポ停止時間分のテンポ通知停止を繰り返し実行するための制御情報を作成するものとする。
【００２３】
これにより、予備演奏を任意の時間行った後、テンポ練習を行うことができる。
【００２４】
また本発明のテンポ通知装置は、前記テンポ通知時間もしくは前記テンポ停止時間を設定する通知時間設定手段をさらに有し、前記通知時間格納手段は、前記通知時間設定手段によって設定されたテンポ通知時間もしくはテンポ停止時間を格納するものとする。
【００２５】
これにより、使用者が自身の上達具合に合わせて、初期通知時間やテンポ練習内容を任意に設定することができる。
【００２６】
ここで、前記通知動作制御手段は、テンポの通知強度を変動させた制御情報を作成するものとし、例えば、前記テンポ通知時間に通知するテンポの強度を、所定強度になるように時間と共に増加させ、その後、最低強度となるように時間と共に減少させた制御情報を作成するものとする。
【００２７】
これにより、使用者が演奏をする中で、テンポを非常に自然に通知し、停止することができる。
【００２８】
また本発明のテンポ通知装置において、前記テンポ通知手段は複数あり、テンポ通知手段ごとに、継続的なテンポの通知動作、もしくはテンポの通知と通知停止の繰り返し動作、のいずれかを設定する通知動作設定手段をさらに有し、前記通知動作制御手段は、前記通知動作設定手段で設定したテンポ通知動作に基づいて、テンポ通知手段ごとに制御情報を作成するものとする。ここで、前記テンポ通知手段は、音声発生手段、振動発生手段、発光手段、表示手段のいずれかを含むものとする。
【００２９】
これにより、使用者が所望の通知手段を用いてテンポ練習を行うことができる。
【００３０】
また本発明のテンポ通知装置は、外部からの音声信号を入力するための入力手段と、前記入力手段から所定入力レベル以上の音声信号が所定入力時間以上、継続して入力された場合、演奏の開始もしくは停止を判定する演奏判定手段と、前記演奏判定手段が判定した結果に基づいて、テンポ通知動作を制御する制御情報を作成する通知動作制御手段と、前記通知動作制御手段が作成した制御情報に基づいて、テンポ通知動作を実行するテンポ通知手段とを有する、テンポ通知装置とする。
【００３１】
これにより、音声信号によってテンポ通知動作を実行することができる。
【発明の効果】
【００３２】
以上説明したように本発明によれば、テンポ通知装置のテンポ通知動作およびテンポ練習補助動作の開始／停止を、楽音等の演奏入力の有無やその入力レベルで制御することができるため、使用者が演奏等の動作を中断して手動で操作を行わなくてもテンポ通知動作やテンポ練習補助動作の制御を行うことが可能である。
【発明を実施するための最良の形態】
【００３３】
以下にこの発明の実施形態を図面に基づいて説明する。
【００３４】
図１は、本発明に関わるテンポ通知装置の実施形態の一例を示すブロック構成図である。本発明のテンポ通知装置は、一定時間の楽音入力を「準備演奏」または「演奏」として判定するために、その判定基準となる入力時間を設定するための演奏判定時間設定手段１、一定音量の楽音入力を「準備演奏」または「演奏」として判定するために、その判定基準となる入力音量を設定するための演奏判定音量設定手段２、音を入力するための演奏入力手段３、テンポ通知動作の制御および演奏判定機能の管理を行うマイコン４、マイコン４で処理された情報を基に音や光などでテンポの通知を行うテンポ通知手段１０で主に構成されている。
【００３５】
まず、演奏判定時間設定手段１にて楽音等の信号入力を準備演奏または演奏として判定するための基準入力時間を、および／もしくは、演奏判定音量設定手段２にて楽音等の信号入力を準備演奏または演奏として判定するための基準音量（基準入力レベル）を設定する。この設定情報はマイコン４内の入力ポート５を通してマイコン内に入力され、判定基準格納手段６に格納される。また、これらの設定情報に関しては、あらかじめ適当な値を判定基準格納手段６に格納しておくことで、ユーザーが自ら設定を行う手順を不要とすることができる。
【００３６】
次に、楽器を鳴らすなどをすると、演奏入力手段３より楽音がマイコン４内の入力ポート５を通してマイコン４内に入力され、順次演奏入力判定手段７に送られる。このときこの楽音を、あらかじめ設定され、判定基準格納手段６に格納された基準時間および／もしくは基準音量と比較する。そして楽音が、準備演奏または演奏とみなされる規定の入力時間および／もしくは入力音量を満たした場合は、この楽音を準備演奏または演奏とみなす。ここで準備演奏または演奏とみなされると、テンポ通知制御手段８では出力ポート９を通じて、テンポ通知手段１０におけるテンポ通知の開始／停止、または音量や輝度などの制御を行う。このように本発明のテンポ通知装置では、楽音等の入力によりテンポ通知動作が作動する。
【００３７】
尚、本発明の特許請求の範囲における入力手段は演奏入力手段３に相当する。演奏判定手段は演奏入力判定手段７に相当する。通知動作制御手段はテンポ通知制御手段８に相当する。基準設定手段は演奏判定時間設定手段１もしくは演奏判定音量設定手段２に相当する。
【実施例１】
【００３８】
図２は本発明に関わるテンポ通知装置の実施例の一例の正面図である。本体ケース１１には、電源スイッチ１２、テンポなどの動作情報を表示するための液晶ディスプレイ１３、テンポ設定スイッチ１４、練習補助動作時間設定スイッチ１５、楽音を入力するためのマイク１６（演奏入力手段に相当する）、テンポを音で通知するためのスピーカ１７（テンポ通知手段に相当する）を配置する。練習補助動作時間設定スイッチ１５は、特定の時間ごとにテンポ通知動作のＯＮ／ＯＦＦを自動的に繰り返すテンポ練習補助動作における、通知ＯＮ時間、通知ＯＦＦ時間を設定するためスイッチであり、本発明の通知時間設定手段に相当する。この通知ＯＮ時間、通知ＯＦＦ時間は、テンポ通知装置内にある、図示しない通知時間格納手段に格納されている。
【００３９】
尚、本実施例では、演奏を判定する設定値はあらかじめ決定されているものとするが、使用者自身が操作して設定値を設定する手段（演奏判定時間設定手段、および演奏判定音量設定手段に相当する）を設け、設定値を使用者によって設定させるようにしてもよい。
【００４０】
電源スイッチ１２の操作でテンポ通知装置の電源をオンさせ、テンポ設定スイッチ１４にてテンポを任意に設定する。また、練習補助動作時間設定スイッチ１５にて、テンポ練習補助動作におけるテンポ通知動作のＯＮ時間、ＯＦＦ時間を設定する。次に、楽音が一定時間マイク１６より入力されると、テンポ通知動作およびテンポ練習補助動作を自動的に開始／停止する。図３は、図２のテンポ通知装置に実際に演奏を入力したときの動作を示す図である。図３において上にあるグラフが、テンポ通知装置のテンポ通知動作の時間変化を示している。また下にあるグラフが、入力された演奏の（楽音の）音量の時間変化を示している。両グラフの時間軸は同一である。本図を用いて、実施例１のテンポ通知装置の動作を説明する。
【００４１】
本実施例では、楽音を一定時間（図３における「Ａ」）入力し続けると演奏とみなされ、テンポ通知装置の通知動作を開始する。演奏がさらに一定時間（図３における「Ｂ」）継続して入力されると、今度は一定時間間隔でテンポ通知動作のＯＮ／ＯＦＦを繰り返すテンポ練習補助動作を開始する。このとき、テンポ練習補助動作のＯＦＦ時間（図３における「Ｃ」）およびＯＮ時間（図３における「Ｄ」）は練習補助動作時間設定スイッチ１５であらかじめ設定された時間となる。こうしてテンポ通知装置にてテンポ練習補助動作を継続中に楽音の入力が停止し、その状態で一定時間（図３における「Ｅ」）経過すると、演奏は停止したとみなされ、テンポ通知動作およびテンポ練習補助動作も停止する。
【００４２】
テンポ通知装置の通知動作を上述のようにすることで、使用者はテンポ通知装置を操作することなく、テンポ通知を受けることができ、且つ、ごく自然に演奏を行いながらテンポ練習を行うことができる。
【実施例２】
【００４３】
図４は本発明に関わるテンポ通知装置の実施例の別の一例の正面図である。本体ケース１８には、電源スイッチ１９、テンポなどの動作情報を表示するための液晶ディスプレイ２０、テンポ設定スイッチ２１、楽音の入力を準備演奏または演奏とみなすための入力音量を設定するための楽音音量設定スイッチ２２（演奏判定音量設定手段に相当する）、楽音の入力を準備演奏または演奏とみなすための入力時間を設定するための楽音時間設定スイッチ２３（演奏判定時間設定手段に相当する）、楽音を入力するためのマイク２４（演奏入力手段に相当する）、テンポを音で通知するためのスピーカ２５（テンポ通知手段に相当する）を配置する。
【００４４】
電源スイッチ１９の操作でテンポ通知装置の電源をオンさせ、テンポ設定スイッチ２１にてテンポを任意に設定する。また、楽音音量設定スイッチ２２および楽音時間設定スイッチ２３にて、入力される楽音を準備演奏または演奏とみなすための入力音量、および入力時間をそれぞれ設定する。次に、楽音が一定時間マイク２４より入力されると、入力される楽音の入力音量、および入力時間に基づきテンポ通知動作および練習補助動作を自動的に開始／停止する。図５は、図４のテンポ通知装置で実際に演奏を入力したときの動作を示す図である。図５において上にあるグラフが、テンポ通知装置のテンポ通知動作の時間変化を示している。また下にあるグラフが、入力された演奏の（楽音の）音量の時間変化を示している。両グラフの時間軸は、同一である。本図を用いて、実施例２のテンポ通知装置の動作を説明する。
【００４５】
本実施例では、まず楽音が設定された音量（図５における（Ｉ））で設定された時間（図５における「Ｆ」）入力されると、準備演奏とみなされてテンポ通知動作が開始される。次に、楽音の音量が設定された別の音量（図６における（ＩＩ））となり、その状態で設定された別の時間（図５における「Ｇ」）入力されると、今度は演奏が入力されたとみなされ、テンポ練習補助動作が開始される。
【００４６】
このテンポ練習補助動作が動作中に演奏の音量が（Ｉ）程度に変更され、その状態で一定時間（図５における「Ｈ」）経過すると、テンポ練習補助動作は停止したものとみなされ、テンポ通知動作が再度開始される。また、演奏が停止になり、一定時間（図５における「Ｊ」）経過すると、演奏は停止したとみなされ、テンポ通知動作およびテンポ練習補助動作も停止する。
【００４７】
テンポ通知装置の通知動作を上述のようにすることで、小さい音量で練習をすれば継続的にテンポ通知を受けることができ、大きい音量で練習をすればテンポ練習用のテンポ通知を受けることができる。よって使用者は、装置を操作することなく自然に練習や演奏を行いながらテンポ通知を受け、且つテンポ練習を行うことができる。
【実施例３】
【００４８】
図６は本発明に関わるテンポ通知装置の実施例のまた別の一例の正面図である。本体ケース２６には、電源スイッチ２７、テンポなどの動作情報を表示するための液晶ディスプレイ２８、テンポ設定スイッチ２９、複数のテンポ通知手段のうち、テンポ練習補助動作を行うものを選択するためのデバイス選択スイッチ３０、テンポ練習補助動作でテンポ通知動作をＯＮ／ＯＦＦする際に、通知動作を徐々にＯＮ／ＯＦＦしていくかどうかを選択するためのフェードイン／アウト設定スイッチ３１、楽音を入力するためのマイク３２（演奏入力手段に相当する）、テンポを音で通知するためのスピーカ３３、テンポを光で通知するための発光素子３４、テンポを振動で通知するための振動子３５（それぞれテンポ通知手段に相当する）を配置する。尚、本実施例では、演奏を判定する設定値はあらかじめ決定されているものとするが、使用者自身が操作して設定値を設定する手段（演奏判定時間設定手段、および演奏判定音量設定手段に相当する）を設け、設定値を使用者によって設定させるようにしてもよい。
【００４９】
電源スイッチ２７の操作でテンポ通知装置の電源をオンさせ、テンポ設定スイッチ２９にてテンポを任意に設定する。また、テンポ練習補助動作を行うテンポ通知手段をデバイス選択スイッチ３０で選択し、テンポ練習補助動作のテンポ通知ＯＮ／ＯＦＦの切り替わりをフェードイン、フェードアウトさせるかをフェードイン／アウト設定スイッチ３１で設定する。そして楽音を入力すると、テンポ通知動作、および選択したデバイスでのテンポ練習補助動作を開始／停止させる。図７は、図６のテンポ通知装置で実際に演奏を入力したときの動作を示す図である。図７において一番上にあるグラフが、テンポ通知装置の発光素子３４によるテンポ通知動作の時間変化を示している。また、テンポ通知装置の振動子３５によるテンポ通知動作の時間変化を示している。その下にあるグラフが、テンポ通知装置のスピーカ３３によるテンポ通知動作の時間変化を示している。そして一番下にあるグラフが、入力された演奏の（楽音の）音量の時間変化を示している。全グラフの時間軸は、同一である。本図を用いて、実施例３のテンポ通知装置の動作を説明する。
【００５０】
本実施例では、まず楽音を一定時間（図７における「Ｋ」）入力し続けると演奏とみなされ、テンポ通知装置の通知動作が開始される。演奏がさらに一定時間（図７における「  Ｌ」）継続して入力されると、今度は一定時間間隔でテンポ通知動作のＯＮ／ＯＦＦを繰り返すテンポ練習補助動作を開始する。このとき、デバイス設定スイッチで選択された通知手段のみが練習補助動作を行う。例えば図６では、スピーカ３３からの音による通知と振動子３５の振動による通知を選択している。この場合、図７のようにテンポ練習補助動作はスピーカ３３および振動子３５でのみ行い、発光素子３４はテンポを同じ輝度の点滅で通知し続ける。
【００５１】
また、フェードイン／アウトをするように設定されていると、このテンポ練習補助動作の通知動作ＯＮ／ＯＦＦが切り替わるときに、例えば音による通知なら音量が、振動による通知なら振動の強度が、発光素子による振動なら輝度が、それぞれ徐々に小さくなったり大きくなったりすることで、より自然に練習補助動作を使用者に通知することが可能である。本実施形態では、振動子３５およびスピーカ３３に対してフェードイン／アウトが設定されており、テンポ練習補助動作期間（図７における「Ｍ」）の間、図のように振動強度や音量を変動させて使用者に通知をしている。
【００５２】
テンポ通知装置の通知動作を上述のようにすることで、使用者は装置を操作することなく、且つ、希望の通知手段を選択的に使用してテンポ練習を行うことができる。
【００５３】
このように本発明のテンポ通知装置は、楽音等の演奏入力の有無やその入力レベルで動作の制御を行わせることで、使用者が演奏等の動作を中断して手動で操作を行わなくてもテンポ通知動作やテンポ練習補助動作の制御を行うことを可能にが可能である。
【００５４】
また、本発明のテンポ通知方法は、電子楽器のテンポ通知装置にも採用することも可能である。
【図面の簡単な説明】
【００５５】
【図１】本発明を用いたテンポ通知装置の実施例の一例を表すブロック図である。
【図２】本発明を用いたテンポ通知装置の実施例の一例を表す外観図である。
【図３】図２のテンポ通知装置の動作を示す図である。
【図４】本発明を用いたテンポ通知装置の実施例の別の一例を表す外観図である。
【図５】図４のテンポ通知装置の動作を示す図である。
【図６】本発明を用いたテンポ通知装置の実施例の別の一例を表す外観図である。
【図７】図６のテンポ通知装置の動作を示す図である。
【符号の説明】
【００５６】
１    演奏判定時間設定手段
２    演奏判定音量設定手段
３    演奏入力手段
４    マイコン
５    入力ポート
６    判定基準格納手段
７    演奏入力判定手段
８    テンポ通知制御手段
９    出力ポート
１０    テンポ通知手段
１１、１８、２６  本体ケース
１２、１９、２７  電源スイッチ
１３、２０、２８    液晶ディスプレイ
１４、２１、２９  テンポ設定スイッチ  
１５      練習補助動作時間設定スイッチ
１６、２４、３２  マイク
１７、２５、３３  スピーカ
２２      楽音音量設定スイッチ
２３      楽音時間設定スイッチ
３０      デバイス選択スイッチ
３１      フェードイン／アウト設定スイッチ
３４      発光素子
３５      振動子
【図１】
2007132881.tif 000003
【図２】
2007132881.tif 000004
【図３】
2007132881.tif 000005
【図４】
2007132881.tif 000006
【図５】
2007132881.tif 000007
【図６】
2007132881.tif 000008
【図７】
2007132881.tif 000009